(57)【要約】【課題】補正データ容量が削減された表示装置の補正方法を提供する。【解決手段】輝度信号に応じて発光する有機ＥＬ素子４０１を有する画素４００がマトリクス状に配置された表示装置１の補正方法であって、輝度信号を補正する第１補正データを予め取得する取得ステップＳ１０と、第１補正データを、よりデータ量が削減された第２補正データへと変換する変換ステップＳ３０と、第２補正データを用いて輝度信号を補正する補正ステップＳ６０とを含み、第１及び第２補正データは、第１色を発光する第１サブ画素の輝度を補正する第１色補正データと、第２色を発光する第２サブ画素の輝度を補正する第２色補正データと第３色を発光する第３サブ画素の輝度を補正する第３色補正データとを含んで構成され、変換ステップでは、第２色補正データのデータ削減量の方が、第１色補正データのデータ削減量よりも大きくなるように、前記変換を行う。【選択図】図６
2018025639.tif 000002
【特許請求の範囲】
【請求項１】
輝度信号に応じて発光する発光素子を有する画素がマトリクス状に配置された表示装置の輝度ムラを補正する表示装置の補正方法であって、
前記画素に対応した複数の補正データ成分で構成され、前記輝度信号を補正するための第１補正データを予め取得する取得ステップと、
前記第１補正データを、当該第１補正データよりもデータ量が削減された第２補正データへと変換する変換ステップと、
前記第２補正データを用いて、前記輝度信号を補正する補正ステップとを含み、
前記画素は、少なくとも、第１色を発光する第１サブ画素と、第２色を発光する第２サブ画素と、第３色を発光する第３サブ画素とを含んで構成され、
前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、
前記変換ステップでは、前記第２色補正データのデータ削減量の方が、前記第１色補正データのデータ削減量よりも大きくなるように、前記変換を行う
表示装置の補正方法。
【請求項２】
前記第１色と前記第２色との関係は、前記第１色の視感度の方が前記第２色の視感度よりも高くなる関係である
請求項１に記載の表示装置の補正方法。
【請求項３】
前記第１色は緑であり、
前記第２色は赤であり、
前記第３色は青であり、
前記変換ステップでは、さらに、前記第３色補正データのデータ削減量の方が、前記第２色補正データのデータ削減量よりも大きくなるように、前記変換を行う
請求項２に記載の表示装置の補正方法。
【請求項４】
さらに、
前記変換ステップの後、前記第２補正データを、前記表示装置が有するメモリに予め保存する保存ステップを含み、
前記補正ステップでは、前記メモリに保存された前記第２補正データを読み出し、当該読み出した第２補正データを用いて、前記変換を行う
請求項１〜３のいずれか１項に記載の表示装置の補正方法。
【請求項５】
前記変換ステップでは、前記第１補正データを構成する、前記第１色補正データと前記第２色補正データとを周波数成分に分解し、前記第１補正データに対して、当該周波数成分に分解された第１色補正データから、第１周波数以上の高周波成分を除去することで前記第２補正データの前記第１色補正データを生成し、当該周波数成分に分解された第２色補正データから、前記第１周波数よりも低い第２周波数以上の高周波成分を除去することで前記第２補正データの前記第２色補正データを生成することで、前記変換を行う
請求項１〜４のいずれか１項に記載の表示装置の補正方法。
【請求項６】
前記変換ステップでは、さらに、前記第１補正データを構成する前記第３色補正データを周波数成分に分解し、前記第３色補正データに対して、当該周波数成分に分解された第３色補正データから、前記第２周波数よりも低い第３周波数以上の高周波成分を除去することで前記第２補正データの前記第３色補正データを生成することで、前記変換を行う
請求項５に記載の表示装置の補正方法。
【請求項７】
前記変換ステップでは、前記周波数成分への分解を、離散コサイン変換を利用して行うことで、前記変換を行う
請求項５又は６に記載の表示装置の補正方法。
【請求項８】
前記補正ステップでは、前記第２補正データを構成する、前記第１色補正データと前記第２色補正データとを、周波数成分から空間成分へと逆変換し、当該逆変換された前記第２補正データを用いて、前記補正を行う
請求項５〜７のいずれか１項に記載の表示装置の補正方法。
【請求項９】
前記変換ステップでは、前記第１補正データについて、（１）各第１サブ画素に対応した補正データ成分の誤差成分を当該各第１サブ画素の周辺第１サブ画素へ伝搬させて再構成し、当該再構成された各第１サブ画素の補正データ成分を第１ビット数削減し、（２）各第２サブ画素に対応した補正データ成分の誤差成分を当該各第２サブ画素の周辺第２サブ画素へ伝搬させて再構成し、当該再構成された各第２サブ画素の補正データ成分を、前記第１ビット数より多い第２ビット数削減することにより前記第２補正データへと変換することで、前記変換を行う
請求項１〜４のいずれか１項に記載の表示装置の補正方法。
【請求項１０】
前記変換ステップでは、さらに、前記第１補正データについて、各第３サブ画素に対応した補正データ成分の誤差成分を当該各第３サブ画素の周辺第３サブ画素へ伝搬させて再構成し、当該再構成された各第１サブ画素の補正データ成分を、前記第２ビット数よりも多い第３ビット数削減することにより前記第２補正データへと変換することで、前記変換を行う
請求項９に記載の表示装置の補正方法。
【請求項１１】
前記変換ステップでは、前記第１補正データを構成する前記複数の補正データ成分を誤差拡散させ、当該誤差拡散した前記複数の補正データ成分をビット削減して第２補正データへと変換する
請求項９または１０に記載の表示装置の補正方法。
【請求項１２】
前記変換ステップでは、前記第１補正データを構成する前記複数の補正データ成分を、予め算出された閾値データに基づいて周辺画素へ伝搬させ、
前記補正ステップでは、前記第２補正データを構成する複数の補正データ成分のそれぞれを、前記閾値データおよび前記第１補正データが量子化された離散値の少なくとも一方を用いて、前記第２補正データよりも高ビットのデータへと展開し、当該展開された前記第２補正データを用いて前記輝度信号を補正する
請求項９〜１１に記載の表示装置の補正方法。
【請求項１３】
輝度信号に応じて発光する発光素子を有する画素がマトリクス状に配置された表示装置の製造方法であって、
複数の前記画素が配置された表示パネルを形成する表示パネル形成ステップと、
前記画素に対応した複数の補正データ成分で構成され、前記輝度信号を補正するための第１補正データを予め取得する取得ステップと、
前記第１補正データを、当該第１補正データよりもデータ量が削減された第２補正データへと変換する変換ステップと、
前記第２補正データを用いて、前記輝度信号を補正する補正ステップと
前記変換ステップの後、前記第２補正データを、前記表示装置が有するメモリに保存する保存ステップを含み、
前記画素は、少なくとも、第１色を発光する第１サブ画素と、第２色を発光する第２サブ画素と、第３色を発光する第３サブ画素とを含んで構成され、
前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、
前記変換ステップでは、前記第２色補正データのデータ削減量の方が、前記第１色補正データのデータ削減量よりも大きくなるように、前記変換を行う
表示装置の製造方法。
【請求項１４】
前記変換ステップでは、前記第１補正データを構成する、前記第１色補正データと前記第２色補正データとを周波数成分に分解し、前記第１補正データに対して、当該周波数成分に分解された第１色補正データから、第１周波数以上の高周波成分を除去することで前記第２補正データの前記第１色補正データを生成し、当該周波数成分に分解された第２色補正データから、前記第１周波数よりも低い第２周波数以上の高周波成分を除去することで前記第２補正データの前記第２色補正データを生成することで、前記変換を行う
請求項１３に記載の表示装置の製造方法。
【請求項１５】
前記変換ステップでは、前記第１補正データについて、（１）各第１サブ画素に対応した補正データ成分の誤差成分を当該各第１サブ画素の周辺第１サブ画素へ伝搬させて再構成し、当該再構成された各第１サブ画素の補正データ成分を第１ビット数削減し、（２）各第２サブ画素に対応した補正データ成分の誤差成分を当該各第２サブ画素の周辺第２サブ画素へ伝搬させて再構成し、当該再構成された各第２サブ画素の補正データ成分を、前記第１ビット数より多い第２ビット数削減することにより前記第２補正データへと変換することで、前記変換を行う
請求項１３に記載の表示装置の製造方法。
【請求項１６】
輝度信号に応じて発光する発光素子を有する画素がマトリクス状に配置された表示装置の表示方法であって、
前記画素に対応した複数の補正データ成分で構成され、前記輝度信号を補正するための第１補正データを予め取得する取得ステップ、および、前記第１補正データを、当該第１補正データよりもデータ量が削減された第２補正データへと変換する変換ステップ、により取得された前記第２補正データを用いて、前記輝度信号を補正する補正ステップと、
前記補正ステップで補正された前記輝度信号を前記画素に供給し、当該輝度信号に応じて前記発光素子を発光させることにより前記表示装置を表示する表示ステップを含み、
前記画素は、少なくとも、第１色を発光する第１サブ画素と、第２色を発光する第２サブ画素と、第３色を発光する第３サブ画素とを含んで構成され、
前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、
前記変換ステップでは、前記第２色補正データのデータ削減量の方が、前記第１色補正データのデータ削減量よりも大きくなるように、前記変換を行う
表示装置の表示方法。
【請求項１７】
前記変換ステップでは、前記第１補正データを構成する、前記第１色補正データと前記第２色補正データとを周波数成分に分解し、前記第１補正データに対して、当該周波数成分に分解された第１色補正データから、第１周波数以上の高周波成分を除去することで前記第２補正データの前記第１色補正データを生成し、当該周波数成分に分解された第２色補正データから、前記第１周波数よりも低い第２周波数以上の高周波成分を除去することで前記第２補正データの前記第２色補正データを生成することで、前記変換を行う
請求項１６に記載の表示装置の表示方法。
【請求項１８】
前記変換ステップでは、前記第１補正データについて、（１）各第１サブ画素に対応した補正データ成分の誤差成分を当該各第１サブ画素の周辺第１サブ画素へ伝搬させて再構成し、当該再構成された各第１サブ画素の補正データ成分を第１ビット数削減し、（２）各第２サブ画素に対応した補正データ成分の誤差成分を当該各第２サブ画素の周辺第２サブ画素へ伝搬させて再構成し、当該再構成された各第２サブ画素の補正データ成分を、前記第１ビット数より多い第２ビット数削減することにより前記第２補正データへと変換することで、前記変換を行う
請求項１６に記載の表示装置の表示方法。
【請求項１９】
輝度信号に応じて発光する発光素子を有する画素がマトリクス状に配置された表示装置であって、
前記画素に対応した複数の補正データ成分で構成され、前記輝度信号を補正するための第１補正データを、当該第１補正データよりもデータ量が削減された第２補正データへと変換する変換部と、
前記第２補正データを用いて、前記輝度信号を補正する補正部とを含み、
前記画素は、少なくとも、第１色を発光する第１サブ画素と、第２色を発光する第２サブ画素と、第３色を発光する第３サブ画素とを含んで構成され、
前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、
前記変換部は、前記第２色補正データのデータ削減量の方が、前記第１色補正データのデータ削減量よりも大きくなるように、前記変換を行う
表示装置。
【請求項２０】
前記変換部は、前記第１補正データを構成する、前記第１色補正データと前記第２色補正データとを周波数成分に分解し、前記第１補正データに対して、当該周波数成分に分解された第１色補正データから、第１周波数以上の高周波成分を除去することで前記第２補正データの前記第１色補正データを生成し、当該周波数成分に分解された第２色補正データから、前記第１周波数よりも低い第２周波数以上の高周波成分を除去することで前記第２補正データの前記第２色補正データを生成することで、前記変換を行う
請求項１９に記載の表示装置。
【請求項２１】
前記変換部は、前記第１補正データについて、（１）各第１サブ画素に対応した補正データ成分の誤差成分を当該各第１サブ画素の周辺第１サブ画素へ伝搬させて再構成し、当該再構成された各第１サブ画素の補正データ成分を第１ビット数削減し、（２）各第２サブ画素に対応した補正データ成分の誤差成分を当該各第２サブ画素の周辺第２サブ画素へ伝搬させて再構成し、当該再構成された各第２サブ画素の補正データ成分を、前記第１ビット数より多い第２ビット数削減することにより前記第２補正データへと変換することで、前記変換を行う
請求項１９に記載の表示装置。
【発明の詳細な説明】
【技術分野】
【０００１】
本開示は、表示装置、表示装置の補正方法、表示装置の製造方法、および表示装置の表示方法に関する。
【背景技術】
【０００２】
電流駆動型の発光素子を用いた表示装置として、有機ＥＬディスプレイが知られている。この有機ＥＬディスプレイは、視野角特性が良好で、消費電力が少ないという利点を有するため、注目されている。
【０００３】
有機ＥＬディスプレイでは、通常、画素を構成する有機ＥＬ素子がマトリクス状に配置される。特に、アクティブマトリクス型の有機ＥＬディスプレイでは、次の走査（選択）まで有機ＥＬ素子を発光させることが可能であるため、デューティ比が上がってもディスプレイの輝度減少を招くようなことはない。従って、低電圧で駆動できるので、低消費電力化が可能となる。しかしながら、アクティブマトリクス型の有機ＥＬディスプレイでは、駆動トランジスタや有機ＥＬ素子の特性のばらつきに起因して、同じ輝度信号を与えても、各画素において有機ＥＬ素子の輝度が異なり、いわゆる輝度ムラが発生するという欠点がある。
【０００４】
従来の有機ＥＬディスプレイにおける輝度ムラの補正方法としては、予めメモリに格納された補正データを用いて輝度信号を補正することで画素ごとの特性の不均一を補償する方法が提案されている。
【０００５】
例えば、特許文献１には、有機ＥＬ素子と駆動トランジスタとを含む複数の画素を有する表示パネルにおいて、代表電流−電圧特性、各分割領域の輝度−電流特性、および各画素の輝度−電圧特性を求め、これらより求められた各画素の電流−電圧特性が代表電流−電圧特性となるような補正データを各画素について求める有機ＥＬ表示装置の製造方法が開示されている。これによれば、高精度な補正データが取得されるので、寿命による輝度劣化のばらつきを抑制できる。
【先行技術文献】
【特許文献】
【０００６】
【特許文献１】国際公開第２０１１／１１８１２４号
【発明の概要】
【発明が解決しようとする課題】
【０００７】
しかしながら、特許文献１に開示された有機ＥＬ表示装置では、予め算出された画素ごとの補正データ（ゲインおよびオフセット）は、制御回路のメモリに格納される。このため、高精度な補正データを確保しつつ表示パネルの解像度を上げていくと、補正データ量が膨大化するという課題が発生する。特に、小型高精細化が要求されるタブレット端末などでは、上記課題が深刻となる。
【０００８】
本発明は、上記の課題に鑑みてなされたものであり、補正データ容量が低減された表示装置、表示装置の補正方法、表示装置の製造方法、および表示装置の表示方法を提供することを目的とする。
【課題を解決するための手段】
【０００９】
上記の課題を解決するために、本発明の一態様に係る表示装置の補正方法は、輝度信号に応じて発光する発光素子を有する画素がマトリクス状に配置された表示装置の輝度ムラを補正する表示装置の補正方法であって、前記画素に対応した複数の補正データ成分で構成され、前記輝度信号を補正するための第１補正データを予め取得する取得ステップと、前記第１補正データを、当該第１補正データよりもデータ量が削減された第２補正データへと変換する変換ステップと、前記第２補正データを用いて、前記輝度信号を補正する補正ステップとを含み、前記画素は、少なくとも、第１色を発光する第１サブ画素と、第２色を発光する第２サブ画素と、第３色を発光する第３サブ画素とを含んで構成され、前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、前記変換ステップでは、前記第２色補正データのデータ削減量の方が、前記第１色補正データのデータ削減量よりも大きくなるように、前記変換を行うことを特徴とする。
【００１０】
また、本発明の一態様に係る表示装置の製造方法は、輝度信号に応じて発光する発光素子を有する画素がマトリクス状に配置された表示装置の製造方法であって、複数の前記画素が配置された表示パネルを形成する表示パネル形成ステップと、前記画素に対応した複数の補正データ成分で構成され、前記輝度信号を補正するための第１補正データを予め取得する取得ステップと、前記第１補正データを、当該第１補正データよりもデータ量が削減された第２補正データへと変換する変換ステップと、前記第２補正データを用いて、前記輝度信号を補正する補正ステップと前記変換ステップの後、前記第２補正データを、前記表示装置が有するメモリに保存する保存ステップを含み、前記画素は、少なくとも、第１色を発光する第１サブ画素と、第２色を発光する第２サブ画素と、第３色を発光する第３サブ画素とを含んで構成され、前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、前記変換ステップでは、前記第２色補正データのデータ削減量の方が、前記第１色補正データのデータ削減量よりも大きくなるように、前記変換を行うことを特徴とする。
【００１１】
また、本発明の一態様に係る表示装置の表示方法は、輝度信号に応じて発光する発光素子を有する画素がマトリクス状に配置された表示装置の表示方法であって、前記画素に対応した複数の補正データ成分で構成され、前記輝度信号を補正するための第１補正データを予め取得する取得ステップ、および、前記第１補正データを、当該第１補正データよりもデータ量が削減された第２補正データへと変換する変換ステップ、により取得された前記第２補正データを用いて、前記輝度信号を補正する補正ステップと、前記補正ステップで補正された前記輝度信号を前記画素に供給し、当該輝度信号に応じて前記発光素子を発光させることにより前記表示装置を表示する表示ステップを含み、前記画素は、少なくとも、第１色を発光する第１サブ画素と、第２色を発光する第２サブ画素と、第３色を発光する第３サブ画素とを含んで構成され、前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、前記変換ステップでは、前記第２色補正データのデータ削減量の方が、前記第１色補正データのデータ削減量よりも大きくなるように、前記変換を行うことを特徴とする。
【００１２】
また、本発明の一態様に係る表示装置は、輝度信号に応じて発光する発光素子を有する画素がマトリクス状に配置された表示装置であって、前記画素に対応した複数の補正データ成分で構成され、前記輝度信号を補正するための第１補正データを、当該第１補正データよりもデータ量が削減された第２補正データへと変換する変換部と、前記第２補正データを用いて、前記輝度信号を補正する補正部とを含み、前記画素は、少なくとも、第１色を発光する第１サブ画素と、第２色を発光する第２サブ画素と、第３色を発光する第３サブ画素とを含んで構成され、前記第１補正データ及び前記第２補正データは、少なくとも、前記第１サブ画素の輝度を補正するための第１色補正データと、前記第２サブ画素の輝度を補正するための第２色補正データと、前記第３サブ画素の輝度を補正するための第３色補正データとを含んで構成され、前記変換部は、前記第２色補正データのデータ削減量の方が、前記第１色補正データのデータ削減量よりも大きくなるように、前記変換を行うことを特徴とする。
【発明の効果】
【００１３】
本発明に係る表示装置、表示装置の補正方法、表示装置の製造方法、または表示装置の表示方法によれば、第１補正データよりもデータ量が削減された第２補正データを用いて輝度信号が補正されるので、補正データ容量を低減することが可能となる。
【図面の簡単な説明】
【００１４】
【図１】実施の形態１に係る表示装置の構成を示すブロック図である。
【図２】実施の形態１に係るサブ画素の回路構成の一例および周辺回路との接続を示す図である。
【図３】実施の形態１に係る表示装置が備える制御部の構成を示すブロック図である。
【図４】従来の表示装置が備える制御部の構成を示すブロック図である。
【図５】実施の形態１に係る表示装置と従来の表示装置との補正処理およびその結果を比較する図である。
【図６】実施の形態１に係る表示装置の補正方法を説明する動作フローチャートである。
【図７】第１補正データを取得するための測定システムのブロック図である。
【図８】実施の形態２に係る製造工程において第２補正データを取得する情報処理装置の構成を示すブロック図である。
【図９】実施の形態２に係る表示装置の製造方法を説明する動作フローチャートである。
【図１０】実施の形態３に係る、第２補正データを用いて表示装置を表示する制御部の構成を示すブロック図である。
【図１１】実施の形態３に係る表示装置の表示方法を説明する動作フローチャートである。
【図１２】実施の形態４に係る表示装置の構成を示すブロック図である。
【図１３】実施の形態４に係る表示装置が備える制御部の構成を示すブロック図である。
【図１４】実施の形態４に係る表示装置と従来の表示装置との補正処理およびその結果を比較する図である。
【図１５】実施の形態４に係る、第１補正データと誤差拡散中の補正データと第２補正データと第２補正データ（展開後）についての具体例を示す図である。
【図１６】実施の形態４に係る表示装置の補正方法を説明する動作フローチャートである。
【図１７】実施の形態５に係る製造工程において第２補正データを取得する情報処理装置の構成を示すブロック図である。
【図１８】実施の形態５に係る表示装置の製造方法を説明する動作フローチャートである。
【図１９】実施の形態６に係る、第２補正データを用いて表示装置を表示する制御部の構成を示すブロック図である。
【図２０】実施の形態６に係る表示装置の表示方法を説明する動作フローチャートである。
【図２１】実施の形態１〜６のいずれかに係る表示装置を内蔵したタブレット端末の外観図である。
【発明を実施するための形態】
【００１５】
以下、表示装置およびその補正方法の実施の形態について、図面を用いて説明する。なお、以下に説明する実施の形態は、いずれも本開示における好ましい一具体例を示すものである。したがって、以下の実施の形態で示される、数値、形状、材料、構成要素、構成要素の配置位置および接続形態、工程、並びに、工程の順序などは、一例であって本発明を限定する主旨ではない。よって、以下の実施の形態における構成要素のうち、本発明における最上位概念を示す独立請求項に記載されていない構成要素については、任意の構成要素として説明される。
【００１６】
なお、各図は、模式図であり、必ずしも厳密に図示されたものではない。また、各図において、実質的に同一の構成に対しては同一の符号を付しており、重複する説明は省略又は簡略化する。
【００１７】
（実施の形態１）
［１．１  表示装置の構成］
図１は、実施の形態１に係る表示装置１の構成を示すブロック図である。同図における表示装置１は、制御部１０と、データ線駆動回路２０と、走査線駆動回路３０と、表示部４０とを備える。制御部１０はメモリ１１を有する。なお、メモリ１１は、表示装置１内であって制御部１０の外部に配置されていてもよい。
【００１８】
制御部１０は、メモリ１１、データ線駆動回路２０および走査線駆動回路３０の制御を行う。メモリ１１には、例えば、表示装置１の製造工程の完了時において、処理後の補正データ（後述する第２補正データ）が保存される。
【００１９】
制御部１０は、表示動作時には、メモリ１１に書き込まれた第２補正データを読み出し、外部から入力された映像信号（輝度信号）を、第２補正データに基づいて補正して、データ線駆動回路２０へと出力する。
【００２０】
また、制御部１０は、例えば、製造工程において処理前の補正データ（後述する第１補正データ）を生成する場合には、例えば、外部の情報処理装置と通信することにより、当該情報処理装置の指示に従ってデータ線駆動回路２０および走査線駆動回路３０を駆動する。
【００２１】
また、制御部１０は、例えば、製造工程において処理前の補正データ（第１補正データ）を変換処理し、処理後の補正データ（第２補正データ）を生成し、当該処理後の補正データをメモリ１１に格納する。
【００２２】
表示部４０は、マトリクス状に配置された複数の画素を備え、外部から表示装置１へ入力された映像信号（輝度信号）に基づいて画像を表示する。
【００２３】
各画素は、光の３原色に対応する３色のそれぞれを発色する３つのサブ画素４００から構成される。ここでは、各画素が、赤色を発色する赤色サブ画素と、緑色を発色する緑色サブ画素と、青色を発色する青色サブ画素とから構成されるとして説明する。
【００２４】
図２は、実施の形態１に係るサブ画素４００の回路構成の一例および周辺回路との接続を示す図である。同図におけるサブ画素４００は、走査線４１２と、データ線４１１と、電源線４２１と、選択トランジスタ４０３と、駆動トランジスタ４０２と、有機ＥＬ素子４０１と、保持容量素子４０４と、共通電極４２２とを備える。また、周辺回路は、データ線駆動回路２０と、走査線駆動回路３０とを備える。
【００２５】
走査線駆動回路３０は、走査線４１２に接続されており、サブ画素４００の選択トランジスタ４０３の導通および非導通を制御する。
【００２６】
データ線駆動回路２０は、データ線４１１に接続されており、第２補正データを用いて補正された輝度信号であるデータ電圧を出力して、駆動トランジスタ４０２に流れる信号電流を決定する機能を有する。
【００２７】
選択トランジスタ４０３は、ゲート端子が走査線４１２に接続されており、データ線４１１のデータ電圧を駆動トランジスタ４０２のゲート端子に供給するタイミングを制御する。
【００２８】
駆動トランジスタ４０２は、ゲート端子が選択トランジスタ４０３を介してデータ線４１１に接続され、ソース端子が有機ＥＬ素子４０１のアノード端子に接続され、ドレイン端子が電源線４２１に接続されている。これにより、駆動トランジスタ４０２は、ゲート端子に供給されたデータ電圧を、当該データ電圧に対応した信号電流に変換し、変換された信号電流を有機ＥＬ素子４０１に供給する。
【００２９】
有機ＥＬ素子４０１は、発光素子として機能し、有機ＥＬ素子４０１のカソード端子は、共通電極４２２に接続されている。
【００３０】
ここで、赤色サブ画素に含まれる有機ＥＬ素子４０１上には、赤色カラーフィルタが形成され、緑色サブ画素に含まれる有機ＥＬ素子４０１上には、緑色カラーフィルタが形成され、青色サブ画素に含まれる有機ＥＬ素子４０１上には、青色カラーフィルタが形成されている。
【００３１】
保持容量素子４０４は、電源線４２１と駆動トランジスタ４０２のゲート端子との間に接続されている。保持容量素子４０４は、例えば、選択トランジスタ４０３がオフ状態となった後も、直前のゲート電圧を維持し、継続して駆動トランジスタ４０２から有機ＥＬ素子４０１へ駆動電流を供給させることが可能である。
【００３２】
なお、図１および図２には記載されていないが、電源線４２１は電源に接続されている。また、共通電極４２２も電源に接続されている。
【００３３】
データ線駆動回路２０から供給されたデータ電圧は、選択トランジスタ４０３を介して駆動トランジスタ４０２のゲート端子へと印加される。駆動トランジスタ４０２は、そのデータ電圧に応じた電流を、ソース−ドレイン端子間に流す。この電流が、有機ＥＬ素子４０１へと流れることにより、その電流に応じた発光輝度で、有機ＥＬ素子４０１が発光する。
【００３４】
なお、図２に示されたサブ画素４００の回路構成において、各回路素子を接続する経路の間に別の回路素子および配線などが挿入されていてもよい。
【００３５】
［１．２  制御部の構成］
図３は、実施の形態１に係る表示装置１が備える制御部１０の構成を示すブロック図である。同図に示された制御部１０は、メモリ１１と、変換部１２と、補正部１３とを備える。
【００３６】
変換部１２は、処理前の補正データ（第１補正データ）を、その第１補正データよりもデータ量が削除された第２補正データへと変換する。
【００３７】
補正部１３は、上記第２補正データを用いて、輝度信号を補正する。輝度信号とは、画素の有する発光素子を発光させるために、当該画素に印加される電気信号である。より具体的には、本実施の形態では、輝度信号とは、サブ画素４００が有する有機ＥＬ素子４０１を発光させるために、データ線駆動回路２０から駆動トランジスタ４０２のゲートに印加されるデータ電圧のことである。
【００３８】
ここで、処理前の補正データ（第１補正データ）について説明する。第１補正データとは、例えば、外部から表示装置１に送信される映像信号に基づいて表示部４０の各サブ画素４００が発光する際の輝度ムラを低減させるためのデータである。より具体的には、補正データは、例えば、サブ画素４００に対応させてゲイン補正値およびオフセット補正値という２つの補正パラメータで構成されている。なお、上記補正データは、サブ画素４００に対応していなくてもよく、複数の隣接サブ画素の集合体であるサブ画素グループごとに対応していてもよい。
【００３９】
図４は、従来の表示装置が備える制御部５００の構成を示すブロック図である。同図に示された従来の制御部５００は、メモリ５１２と、輝度信号補正部５３１とを備える。従来の表示装置では、制御部５００は、第１補正データを予めメモリ５１２に保存する。また、制御部５００は、映像信号を変換してサブ画素ごとの輝度信号（補正前輝度信号）を生成する。輝度信号補正部５３１は、メモリ５１２から第１補正データを読み出し、上記補正前輝度信号に対して、第１補正データのゲイン補正値を乗算（または除算）し、第１補正データのオフセット補正値を加算（または減算）することで、補正前輝度信号を補正する。制御部５００は、このようにして得られた補正後の輝度信号を、所定のタイミングでデータ線駆動回路へと出力する。これにより、表示部における輝度ムラが低減される。
【００４０】
上記従来の表示装置では、表示部の解像度を上げていくにつれ、メモリ５１２に格納すべき補正データ量は膨大化し、また、輝度信号などのデータ転送レートは上昇して圧迫化されるという課題が発生する。特に、小型高精細化が要求されるタブレット端末では、大容量のメモリを確保することが困難であり、コストアップにも繋がる。
【００４１】
これに対して、本実施の形態に係る表示装置１では、上述した第１補正データ（処理前の補正データ）により輝度信号が補正されるのではなく、処理前の補正データ（第１補正データ）を軽量処理することで取得された処理後の補正データ（第２補正データ）により輝度信号が補正される。以下、本実施の形態に係る表示装置１において、第１補正データから第２補正データを生成するための構成について説明する。
【００４２】
変換部１２は、周波数変換部１２１と、周波数成分抽出部１２２とを備える。
【００４３】
周波数変換部１２１は、空間成分で表された第１補正データを周波数成分に分解する。ここでは、第１補正データは、赤色サブ画素の輝度を補正するための赤色補正データと、緑色サブ画素の輝度を補正するための緑色補正データと、青色サブ画素の輝度を補正するための青色補正データとから構成される。このため、周波数変換部１２１は、第１補正データの赤色補正データと緑色補正データと青色補正データとのそれぞれを周波数成分に分解する。
【００４４】
第１補正データのデータ成分を空間成分から周波数成分へと変換する手法としては、例えば、フーリエ変換が用いられ、特に、離散コサイン変換が用いられる。離散コサイン変換を用いることにより、後続の周波数成分抽出部１２２にて、効率よく特定の周波数成分のみをカットすることが可能となる。
【００４５】
周波数成分抽出部１２２は、周波数変換部１２１で周波数成分に変換された補正データのうち、所定の高周波成分を削除する。ここで、周波数成分抽出部１２２は、赤色補正データと緑色補正データと青色補正データとのそれぞれについて、視感度のより低い色の方が、カットする高周波成分の量がより多くなるように高周波成分を除去する。このような高周波成分の除去法は、人間にとって、視感度が比較的低い色の輝度変化は比較的認知されにくく、視感度が比較的高い色の輝度変化は比較的認識されやすいという特質に基づいて行われている。一般に、青色の方が赤色よりも視感度が低く、赤色の方が緑色よりも視感度が低い。このため、周波数成分抽出部１２２は、青色補正データの高周波成分のカットオフ周波数の方が赤色補正データのカットオフ周波数よりも低くなり、赤色補正データの高周波成分のカットオフ周波数の方が緑色補正データのカットオフ周波数よりも低くなるように、高周波成分の除去を行う。周波数成分抽出部１２２により、補正データが有する周波数成分のうち高周波成分のみが削除されることで、１サブ画素〜数サブ画素単位での輝度の揺らぎを補正する補正データ成分を省略することが可能となる。この場合には、周波数成分抽出部１２２が低域通過フィルタ（高域カットフィルタ）の機能を有することで、高周波成分のみが削除された第２補正データを生成することが可能となる。
【００４６】
メモリ１１は、変換部１２により第１補正データが変換されて生成された第２補正データを保存する。第２補正データは、第１補正データの所定の高周波成分が削除されたものであるため、第１補正データに比べて容量が小さい。表示部４０の解像度が上がるにつれ、変換部１２により軽量化された第２補正データを格納するメモリ１１の容量低減化の効果が顕著となる。記録媒体として過度な大容量および長寿命を必要としないという観点から、メモリ１１としては、例えば、フラッシュメモリなどの不揮発性メモリを適用することが可能である。
【００４７】
補正部１３は、空間成分逆変換部１３２と、輝度信号補正部１３１とを備える。
【００４８】
空間成分逆変換部１３２は、例えば、ＤＲＡＭなどの揮発性の第１メモリと演算回路とで構成される。空間成分逆変換部１３２は、メモリ１１から第２補正パラメータを読み出して第１メモリに一時保存する。そして、演算回路は、周波数成分で表された第２補正データを空間成分へと逆変換する。
【００４９】
輝度信号補正部１３１は、空間成分逆変換部１３２により空間成分で表された第２補正データを用いて、サブ画素４００に対応した輝度信号を補正する。以下、輝度信号補正部１３１における輝度信号の補正処理の一例を示す。
【００５０】
輝度信号補正部１３１は、空間成分で表された第２補正パラメータ（ゲイン補正値、オフセット補正値）のうち、補正前輝度信号に対応するデータ電圧にゲイン補正値を乗算（または除算）し、当該乗算値にオフセット補正値を加算（または減算）して、データ線駆動回路２０に出力する。これにより、輝度補正の精度を確保しつつ補正データ容量を低減することが可能となる。
【００５１】
なお、本実施の形態に係る表示装置１において、変換部１２は、補正データを周波数変換して所定の高周波成分を削除する、エンコード処理部に相当し、補正部１３は、補正データを空間成分に逆変換する（戻す）、デコード処理部に相当する。変換部１２および補正部１３は、集積回路であるＩＣ、ＬＳＩ（Ｌａｒｇｅ  Ｓｃａｌｅ  Ｉｎｔｅｇｒａｔｉｏｎ）として実現されてもよい。また、集積回路化の手法は、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。さらには、半導体技術の進歩または派生する別技術によりＬＳＩに置き換わる集積回路化の技術が登場すれば、当然、その技術を用いて機能ブロックの集積化を行ってもよい。また、変換部１２および補正部１３は、上記エンコード処理およびデコード処理を実行させるプログラムとして実現したり、当該プログラムが記録されたコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリとして実現したりすることもできる。そして、そのようなプログラムは、ＣＤ−ＲＯＭ等の記録媒体およびインターネット等の伝送媒体を介して流通させることができるのは言うまでもない。
【００５２】
図５は、実施の形態１に係る表示装置１と従来の表示装置との補正処理およびその結果を比較する図である。同図の左側に示された表示画像は、表示部全体を同一輝度で発光させようとした場合であって補正無しの輝度信号で表示部を表示した場合の画像の一例である。これに対して、図５の右上部に示された表示画像は、本実施の形態に係る表示装置１の制御部１０により処理された補正後の輝度信号で表示部を表示した場合の画像である。また、図５の右下部に示された表示画像は、従来の表示装置の制御部５００により処理された補正後の輝度信号で表示部を表示した場合の画像である。
【００５３】
本実施の形態の制御部１０および従来の制御部５００により補正された輝度信号により表示された表示画像は、いずれも、補正無しの輝度信号による表示画像と比較して、輝度ムラが大幅に低減されていることが判る。ただし、本実施の形態の制御部１０による表示画像と従来の制御部５００による表示画像とは、補正データの（図中、表示画素の長辺および短辺に沿って示されている）周波数成分が異なっている。つまり、本実施の形態の制御部１０により処理された第２補正データの方が、従来の制御部５００で用いられる第１補正データよりも高周波成分が除去されている分だけデータ容量が小さい。よって、本実施の形態に係る表示装置１によれば、表示部の画素数が増加しても、輝度補正の精度を確保しつつ補正データ容量を低減することが可能となる。
【００５４】
［１．３  表示装置の補正方法］
次に、本実施の形態に係る表示装置１の補正方法について説明する。
【００５５】
図６は、実施の形態１に係る表示装置１の補正方法を説明する動作フローチャートである。図６には、表示装置１の有する制御部１０が、第２補正データにより輝度信号を補正するまでの工程が示されている。以下、図６に従って、補正工程を説明していく。
【００５６】
まず、制御部１０は、有機ＥＬ素子４０１を所定の輝度で発光させるための輝度信号を補正するための第１補正データ（処理前の補正データ）を予め取得する（Ｓ１０：取得ステップ）。第１補正データ（処理前の補正データ）は、既に説明したように、例えば、サブ画素４００に対応したゲイン補正値およびオフセット補正値という２つの補正パラメータで構成されている。
【００５７】
ここで、第１補正パラメータの取得方法について、例示する。
【００５８】
図７は、第１補正データを取得するための測定システムのブロック図である。同図に示された測定システムは、情報処理装置２と、撮像装置３と、表示部４０と、制御部１０とを備える。
【００５９】
情報処理装置２は、演算部２０１と、記憶部２０２と、通信部２０３とを備え、第１補正パラメータを生成するまでの工程を制御する機能を有する。情報処理装置２としては、例えば、パーソナルコンピュータが適用される。
【００６０】
撮像装置３は、通信部２０３からの制御信号により、表示部４０を撮像し、撮像された画像データを通信部２０３へ出力する。撮像装置３としては、例えば、ＣＣＤカメラや輝度計が適用される。
【００６１】
情報処理装置２は、表示装置１の制御部１０および撮像装置３へ通信部２０３を介して制御信号を出力し、制御部１０および撮像装置３から測定データを取得して当該測定データを記憶部２０２に格納し、格納された測定データをもとに演算部２０１で演算して各種特性値やパラメータを算出する。なお、制御部１０は、表示装置１に内蔵されない制御回路を使用してもよい。
【００６２】
具体的には、情報処理装置２は、測定サブ画素へ与える電圧値の制御を行う。制御部１０は、上記電圧値を測定サブ画素に印加し、当該測定サブ画素を発光させる。撮像装置３は、発光した測定サブ画素の輝度値を測定する。情報処理装置２は、電圧値と測定輝度値とを受信する。情報処理装置２は、測定サブ画素へ与える電圧値を変化させて、同様の制御を行い、異なる電圧値と当該電圧値に対する測定輝度値とを受信する。情報処理装置２がこれを繰り返すことにより、演算部２０１は、測定サブ画素ごとの電圧−輝度特性を算出し、当該電圧−輝度特性と基準となる電圧−輝度特性とを比較して、測定サブ画素ごとの補正パラメータ（ゲイン補正値およびオフセット補正値）を算出する。
【００６３】
制御部１０は、演算部２０１で算出された上記補正パラメータを第１補正データとして、通信部２０３を介して受信する。
【００６４】
以上の工程により、制御部１０は、輝度信号を補正するための第１補正データを予め取得する。
【００６５】
次に、制御部１０は、空間成分で構成された第１補正データを周波数成分に分解する（Ｓ２０）。
【００６６】
次に、制御部１０は、第１補正データを、所定の高周波成分が削除された第２補正データへと変換する（Ｓ３０）。ここで、制御部１０は、青色補正データの高周波成分のカットオフ周波数の方が赤色補正データのカットオフ周波数よりも低くなり、赤色補正データの高周波成分のカットオフ周波数の方が緑色補正データのカットオフ周波数よりも低くなるように、高周波成分の除去を行うことで、第１補正データを第２補正データへと変換する。ステップＳ２０およびＳ３０は、制御部１０の変換部１２が行う変換ステップである。
【００６７】
次に、制御部１０は、第２補正データを、表示装置１が有するメモリ１１に予め保存する（Ｓ４０：保存ステップ）。
【００６８】
次に、制御部１０は、メモリ１１から第２補正データを読み出し、周波数成分から空間成分へと逆変換する（Ｓ５０）。
【００６９】
次に、制御部１０は、空間成分で構成された第２補正データを用いて、輝度信号を補正する（Ｓ６０：補正ステップ）。
【００７０】
以上の本実施の形態に係る表示装置１の補正方法によれば、第１補正データ（処理前の補正データ）により輝度信号が補正されるのではなく、所定の高周波成分が削除された第２補正データにより輝度信号が補正される。また、メモリ１１には、第１補正データが変換されて生成された第２補正データが保存される。第２補正データは、第１補正データの所定の高周波成分が削除されたものであるため、第１補正データに比べて容量が小さい。これにより、表示部４０の解像度が上がるにつれ、軽量化された第２補正データを格納するメモリ１１の容量低減化の効果が顕著となる。よって、輝度補正の精度を確保しつつ補正データ容量を低減することが可能となる。
【００７１】
なお、ステップＳ２０において、制御部１０は、空間成分で構成された第１補正データを離散コサイン変換することにより、高周波成分を削除してもよい。これによれば、後続のステップＳ３０において、効率よく特定の周波数成分のみをカットすることが可能となる。
【００７２】
（実施の形態２）
実施の形態１では、第１補正データを取得し、当該第１補正データから第２補正データを生成し、当該第２補正データで輝度信号を補正するまでの表示装置１の補正方法について説明した。これに対して、本実施の形態では、上記第１補正データから第２補正データを生成し、当該第２補正データを表示装置１のメモリ１１に格納するまでの表示装置１の製造方法について説明する。つまり、本実施の形態に係る表示装置１の製造方法は、実施の形態１に係る表示装置１の補正方法が、輝度信号を第２補正データで補正するまでの工程を含むのに対して、第２補正データをメモリ１１に格納するまでの工程を含む点が異なる。以下、実施の形態１に係る表示装置１およびその補正方法と同じ構成については説明を省略し、異なる点を中心に説明をする。
【００７３】
［２．１  製造工程における情報処理装置の構成］
図８は、製造工程において第２補正データを取得する情報処理装置２Ａの構成を示すブロック図である。同図に示された情報処理装置２Ａは、表示装置１の製造工程において使用されるものであり、変換部１２Ａを備える。
【００７４】
変換部１２Ａは、周波数変換部１２１Ａと、周波数成分抽出部１２２Ａとを備え、処理前の補正データ（第１補正データ）を周波数成分に分解し、周波数成分に分解された第１補正データを、所定の高周波成分が削除された第２補正データへと変換する。
【００７５】
周波数変換部１２１Ａは、空間成分で表された第１補正データを周波数成分に分解する。
【００７６】
周波数成分抽出部１２２Ａは、周波数変換部１２１Ａで周波数成分に変換された補正データのうち、所定の高周波成分を削除する。ここで、周波数成分抽出部１２２Ａは、赤色補正データと緑色補正データと青色補正データとのそれぞれについて、視感度のより低い色の方が、カットする高周波成分の量がより多くなるように高周波成分を除去する。このような高周波成分の除去法は、人間にとって、視感度が比較的低い色の輝度変化は比較的認知されにくく、視感度が比較的高い色の輝度変化は比較的認識されやすいという特質に基づいて行われている。一般に、青色の方が赤色よりも視感度が低く、赤色の方が緑色よりも視感度が低い。このため、周波数成分抽出部１２２Ａは、青色補正データの高周波成分のカットオフ周波数の方が赤色補正データのカットオフ周波数よりも低くなり、赤色補正データの高周波成分のカットオフ周波数の方が緑色補正データのカットオフ周波数よりも低くなるように、高周波成分の除去を行う。周波数成分抽出部１２２Ａにより、補正データが有する周波数成分のうち高周波成分のみが削除されることで、１サブ画素〜数サブ画素単位での輝度の揺らぎを補正する補正データ成分を省略することが可能となる。この場合には、周波数成分抽出部１２２Ａが低域通過フィルタ（高域カットフィルタ）の機能を有することで、高周波成分のみが削除された第２補正データを生成することが可能となる。
【００７７】
なお、第１補正データは、実施の形態１の図７に示された情報処理装置２により取得されてもよい。このとき、実施の形態１に係る情報処理装置２と、本実施の形態に係る情報処理装置２Ａとが、同じ装置であって双方の機能を兼ね備えていてもよい。つまり、本実施の形態に係る情報処理装置２Ａは、変換部１２Ａのほか、演算部２０１と、記憶部２０２と、通信部２０３とを備えていてもよい。また、第１補正データは、予め情報処理装置２Ａに与えられていてもよい。
【００７８】
［２．２  表示装置の製造方法］
図９は、実施の形態２に係る表示装置１の製造方法を説明する動作フローチャートである。図９には、表示装置１の有する表示パネルを形成する工程から、第２補正データをメモリに格納する工程までが示されている。以下、図９に従って、製造工程を説明していく。
【００７９】
まず、表示装置１を構成する表示パネルを形成する（Ｓ１００：表示パネル形成ステップ）。以下、表示パネルの形成工程を例示する。例えば、ＴＦＴなどの回路素子を含む基板上に、絶縁性の有機材料からなる平坦化膜を形成し、その後、当該平坦化膜上に陽極を形成する。次に、陽極上に、例えば、正孔注入層を形成する。次に、正孔注入層の上に、発光層を形成する。次に、発光層の上に、電子注入層を形成する。続いて、電子注入層が形成された基板上に、陰極を形成する。これらの工程により、発光素子としての機能をもつ有機ＥＬ素子が形成される。さらに、陰極の上に、薄膜封止層を形成する。次に、薄膜封止層の表面に、封止用樹脂層を塗布する。その後、塗布された封止用樹脂層上に、カラーフィルタを形成する。次に、カラーフィルタの上に、接着層及び透明基板を配置する。なお、薄膜封止層、封止用樹脂層、接着層及び透明基板は、保護層に相当する。最後に、透明基板を上面側から下方に加圧しつつ熱またはエネルギー線を付加して封止用樹脂層を硬化し、透明基板、接着層及びカラーフィルタと薄膜封止層とを接着する。上記形成工程により、表示パネルが形成される。
【００８０】
次に、情報処理装置２Ａは、有機ＥＬ素子４０１を所定の輝度で発光させるための輝度信号を補正するための第１補正データ（処理前の補正データ）を予め取得する（Ｓ１１０：取得ステップ）。第１補正データ（処理前の補正データ）は、既に説明したように、例えば、サブ画素４００に対応したゲイン補正値およびオフセット補正値という２つの補正パラメータで構成されている。第１補正パラメータの取得方法については、実施の形態１の図７で説明した情報処理装置２により取得されてもよいし、また、例えば、同一バッチで製造された表示パネルの第１補正パラメータを流用してもよい。
【００８１】
次に、情報処理装置２Ａは、空間成分で構成された第１補正データを周波数成分に分解する（Ｓ１２０）。
【００８２】
次に、情報処理装置２Ａは、第１補正データを、所定の高周波成分が削除された第２補正データへと変換する（Ｓ１３０）。ここで、情報処理装置２Ａは、青色補正データの高周波成分のカットオフ周波数の方が赤色補正データのカットオフ周波数よりも低くなり、赤色補正データの高周波成分のカットオフ周波数の方が緑色補正データのカットオフ周波数よりも低くなるように、高周波成分の除去を行うことで、第１補正データを第２補正データへと変換する。ステップＳ１２０およびＳ１３０は、情報処理装置２Ａの変換部１２Ａが行う変換ステップである。
【００８３】
次に、情報処理装置２Ａは、第２補正データを、表示装置１が有するメモリ１１に保存する（Ｓ１４０：保存ステップ）。
【００８４】
以上の本実施の形態に係る表示装置１の製造方法によれば、第１補正データ（処理前の補正データ）がメモリ１１に保存されるのではなく、所定の高周波成分が削除された第２補正データがメモリ１１に保存される。第２補正データは、第１補正データの所定の高周波成分が削除されたものであるため、第１補正データに比べて容量が小さい。これにより、表示部４０の解像度が上がるにつれ、軽量化された第２補正データを格納するメモリ１１の容量低減化の効果が顕著となる。よって、輝度補正の精度を確保しつつ補正データ容量を低減することが可能となる。
【００８５】
なお、ステップＳ１２０において、情報処理装置２Ａは、空間成分で構成された第１補正データを離散コサイン変換することにより、高周波成分を削除してもよい。これによれば、後続のステップＳ１３０において、効率よく特定の周波数成分のみをカットすることが可能となる。
【００８６】
また、情報処理装置２Ａは、表示装置１を構成する制御部１０が内蔵していてもよく、製造工程において、制御部１０が第２補正データを取得しメモリ１１に格納してもよい。
【００８７】
（実施の形態３）
実施の形態１では、第１補正データを取得し、当該第１補正データから第２補正データを生成し、当該第２補正データで輝度信号を補正するまでの表示装置１の補正方法について説明した。これに対して、本実施の形態では、上記第２補正データを読み出し、当該第２補正データにより輝度信号を補正し、当該補正された輝度信号により画素表示させるまでの表示装置１の表示方法について説明する。つまり、本実施の形態に係る表示装置１の製造方法は、実施の形態２に係る表示装置１の製造方法が、第２補正データをメモリ１１に格納するまでの工程を含むのに対して、格納された第２補正データを読み出す工程から画素表示する工程までを含む点が異なる。以下、実施の形態１に係る表示装置１およびその補正方法と同じ構成については説明を省略し、異なる点を中心に説明をする。
【００８８】
［３．１  制御部の構成］
図１０は、第２補正データを用いて表示装置１を表示する制御部１０の構成を示すブロック図である。同図に示された制御部１０は、メモリ１１と、補正部１３とを備える。
【００８９】
補正部１３は、上記第２補正データを用いて、輝度信号を補正する。輝度信号とは、画素の有する発光素子を発光させるために、当該画素に印加される電気信号である。より具体的には、本実施の形態では、輝度信号とは、サブ画素４００が有する有機ＥＬ素子４０１を発光させるために、データ線駆動回路２０から駆動トランジスタ４０２のゲートに印加されるデータ電圧のことである。
【００９０】
ここで、本実施の形態に係る表示方法では、上述した第１補正データ（処理前の補正データ）により輝度信号が補正されるのではなく、処理前の補正データ（第１補正データ）を軽量処理することで取得された処理後の補正データ（第２補正データ）により輝度信号が補正される。第２補正データは、第１補正データの所定の高周波成分が削除されたものであるため、第１補正データに比べて容量が小さい。
【００９１】
これにより、表示部４０の解像度が上がるにつれ、第１補正データよりも軽量化された第２補正データを格納するメモリ１１の容量低減化の効果が顕著となる。記録媒体として過度な大容量および長寿命を必要としないという観点から、メモリ１１としては、例えば、フラッシュメモリなどの不揮発性メモリを適用することが可能である。
【００９２】
補正部１３は、空間成分逆変換部１３２と、輝度信号補正部１３１とを備える。
【００９３】
空間成分逆変換部１３２は、例えば、ＤＲＡＭなどの揮発性の第１メモリと演算回路とで構成される。空間成分逆変換部１３２は、メモリ１１から第２補正パラメータを読み出して第１メモリに一時保存する。そして、演算回路は、周波数成分で表された第２補正データを空間成分へと逆変換する。
【００９４】
輝度信号補正部１３１は、空間成分逆変換部１３２により空間成分で表された第２補正データを用いて、サブ画素４００に対応した輝度信号を補正する。以下、輝度信号補正部１３１における輝度信号の補正処理の一例を示す。
【００９５】
輝度信号補正部１３１は、空間成分で表された第２補正パラメータ（ゲイン補正値、オフセット補正値）のうち、補正前輝度信号に対応するデータ電圧にゲイン補正値を乗算（または除算）し、当該乗算値にオフセット補正値を加算（または減算）して、データ線駆動回路２０に出力する。これにより、輝度補正の精度を確保しつつ補正データ容量を低減することが可能となる。
【００９６】
［３．２  表示装置の表示方法］
図１１は、実施の形態３に係る表示装置１の表示方法を説明する動作フローチャートである。図１１には、表示装置１の有する制御部１０が、第２補正データを読み出す工程から輝度信号を補正して画素表示する工程までが示されている。以下、図１１に従って、補正工程を説明していく。
【００９７】
まず、制御部１０は、メモリ１１から第２補正データを読み出し、周波数成分から空間成分へと逆変換する（Ｓ２５０）。
【００９８】
次に、制御部１０は、空間成分で構成された第２補正データを用いて、輝度信号を補正する（Ｓ２６０：補正ステップ）。
【００９９】
最後に、制御部１０は、上記補正ステップで補正された輝度信号を各サブ画素４００に供給し、当該輝度信号に応じて有機ＥＬ素子４０１を発光させることにより表示装置１を表示する（Ｓ２７０：表示ステップ）。
【０１００】
以上の本実施の形態に係る表示装置１の表示方法によれば、第１補正データ（処理前の補正データ）により輝度信号が補正されるのではなく、所定の高周波成分が削除された第２補正データにより輝度信号が補正される。また、メモリ１１には、第１補正データが変換されて生成された第２補正データが保存されている。第２補正データは、第１補正データの所定の高周波成分が削除されたものであるため、第１補正データに比べて容量が小さい。これにより、表示部４０の解像度が上がるにつれ、軽量化された第２補正データを格納するメモリ１１の容量低減化の効果が顕著となる。よって、輝度補正の精度を確保しつつ補正データ容量を低減することが可能となる。
【０１０１】
（実施の形態４）
実施の形態１では、第１補正データを周波数成分に分解し、周波数成分に分解された第１補正データに対して、所定の高周波成分を削除することで第２補正データに変換する構成の表示装置１について説明した。これに対して、本実施の形態では、第１補正データを構成する各サブ画素の補正データ成分の誤差成分を、当該サブ画素の周辺サブ画素へ伝搬させて、第１補正データを構成する各画素の補正データ成分を再構成し、再構成された第１補正データの補正データ成分をビット削減して第２データに変換する構成の表示装置について説明する。
【０１０２】
この表示装置は、実施の形態１における表示装置１から、その機能の一部が変更されて構成される。従って、ここでは、その変更点を中心に説明する。
【０１０３】
［４．１  表示装置の構成］
図１２は、実施の形態４に係る表示装置５の構成を示すブロック図である。
【０１０４】
同図に示されるように、表示装置５は、実施の形態１における表示装置１から、制御部１０が制御部１０Ｂとなるように変更されている。
【０１０５】
制御部１０Ｂは、メモリ１１、データ線駆動回路２０および走査線駆動回路３０の制御を行う。
【０１０６】
また、制御部１０Ｂは、表示動作時には、メモリ１１に書き込まれた第２補正データを読み出し、外部から入力された映像信号（輝度信号）を、第２補正データに基づいて補正して、データ線駆動回路２０へと出力する。
【０１０７】
また、制御部１０Ｂは、例えば、製造工程において処理前の補正データ（後述する第１補正データ）を生成する場合には、例えば、外部の情報処理装置と通信することにより、当該情報処理装置の指示に従ってデータ線駆動回路２０および走査線駆動回路３０を駆動する。
【０１０８】
また、制御部１０Ｂは、例えば、製造工程において処理前の補正データ（第１補正データ）を変換処理し、処理後の補正データ（第２補正データ）を生成し、当該処理後の補正データをメモリ１１に格納する。
【０１０９】
［４．２  制御部の構成］
図１３は、実施の形態４に係る表示装置５が備える制御部１０Ｂの構成を示すブロック図である。
【０１１０】
同図に示されるように、制御部１０Ｂは、実施の形態１における制御部１０から、変換部１２が変換部１２Ｂとなり、補正部１３が補正部１３Ｂとなるように変更されている。
【０１１１】
変換部１２Ｂは、処理前の補正データ（第１補正データ）を、その第１補正データよりもデータ量が削除された第２補正データへと変換する。
【０１１２】
補正部１３Ｂは、上記第２補正データを用いて、輝度信号を補正する。輝度信号とは、画素の有する発光素子を発光させるために、当該画素に印加される電気信号である。より具体的には、本実施の形態では、輝度信号とは、サブ画素４００が有する有機ＥＬ素子４０１を発光させるために、データ線駆動回路２０から駆動トランジスタ４０２のゲートに印加されるデータ電圧のことである。
【０１１３】
変換部１２Ｂは、閾値決定部１１２１と、ビット削減部１１２２とを備える。
【０１１４】
閾値決定部１１２１は、第１補正データを構成する複数の補正データ成分の分布に基づいて、後続するビット削減部１１２２でビット削減する際に使用される閾値を決定する。ここでは、第１補正データは、赤色サブ画素の輝度を補正するための赤色補正データと、緑色サブ画素の輝度を補正するための緑色補正データと、青色サブ画素の輝度を補正するための青色補正データとから構成される。このため、閾値決定部１１２１は、第１補正データの赤色補正データと緑色補正データと青色補正データとのそれぞれについて閾値を決定する。
【０１１５】
ビット削減部１１２２は、閾値決定部１１２１で決定された閾値に基づいて、第１補正データを構成する各サブ画素の補正データ成分を量子化し、その際の誤差成分を、当該各サブ画素の周辺サブ画素へ伝搬させて第１補正データを構成する各サブ画素の補正データ成分を再構成し、当該再構成された第１補正データの補正データ成分をビット削減して第２補正データを生成する。より具体的には、ビット削減部１１２２は、上記閾値に基づいて、第１補正データについて、（１）各第１サブ画素（赤色サブ画素と緑色サブ画素と青色サブ画素とうちのいずれか１つ）に対応した補正データ成分の誤差成分を、その第１サブ画素の周辺第１サブ画素へ伝搬させて再構築し、当該再構築された各第１サブ画素の補正データ成分を第１ビット数削減し、（２）各第２サブ画素（赤色サブ画素と緑色サブ画素と青色サブ画素とから第１サブ画素を除いたもののうちのいずれか１つ）に対応した補正データ成分の誤差成分を、その第２サブ画素の周辺第２サブ画素へ伝搬させて再構築し、当該再構築された各第２サブ画素の補正データ成分を、第１ビット数より多い第２ビット数削減する。また、ビット削減部１１２２は、上記閾値に基づいて、さらに、第１補正データについて、各第３サブ画素（赤色サブ画素と緑色サブ画素と青色サブ画素とのうち、第１サブ画素と第２サブ画素とのいずれでもないもの）に対応した補正データ成分の誤差成分を、その第３サブ画素の周辺第３サブ画素へ伝搬させて再構築し、当該再構築された各第３サブ画素の補正データ成分を第２ビット数より多い第３ビット数削減するとしてもよい。
【０１１６】
ここで、ビット削減部１１２２は、赤色補正データと緑色補正データと青色補正データとのそれぞれについて、視感度のより低い色の方が、ビット削減量が多くなるように、ビット削減を行う。このようなビット削減法は、人間にとって、視感度が比較的低い色の輝度変化は比較的認知されにくく、視感度が比較的高い色の輝度変化は比較的認識されやすいという特質に基づいて行われている。一般に、青色の方が赤色よりも視感度が低く、赤色の方が緑色よりも視感度が低い。このため、ビット削減部１１２２は、青色補正データの削減ビット数の方が、赤色補正データの削減ビット数よりも多くなり、赤色補正データの削減ビット数の方が、緑色補正データの削減ビット数よりも多くなるように、ビット数の削減を行う。すなわち、ビット削減部１１２２は、第１サブ画素を緑色サブ画素とし、第２サブ画素を赤色サブ画素とし、第３サブ画素を緑色サブ画素として、ビット数の削減を行う。
【０１１７】
第１補正データを構成する各サブ画素の補正データ成分の誤差成分を、当該各サブ画素の周辺サブ画素へ伝搬させて第１補正データを構成する各サブ画素の補正データ成分を再構成する量子化手法としては、例えば、誤差拡散法が用いられる。その他、上記手法として、ランダムディザ法およびパタンディザ法などに代表されるディザ法などが適用される。ビット削減部１１２２における処理として誤差拡散法を用いることにより、輝度信号の補正精度を確保することが可能となる。
【０１１８】
補正部１３Ｂは、実施の形態１における補正部１３から、空間成分逆変換部１３２がデータ展開部１１３２となるように変更されている。
【０１１９】
データ展開部１１３２は、例えば、ＤＲＡＭなどの揮発性の第１メモリと演算回路とで構成される。データ展開部１１３２は、メモリ１１から第２補正データを読み出して第１メモリに一時保存する。ここで、第１メモリ内（または外部）に設けられた、ＳＲＡＭに例示される第２メモリには、閾値決定部１１２１で決定された閾値データおよび第１補正データが量子化された離散値の少なくとも一方が保存されている。演算回路は、第１メモリに確保された第２補正データを、第２メモリに保存された閾値データおよび上記離散値の少なくとも一方を用いて、メモリ１１に保存された第２補正データのビット数よりも大きいビット数を有する補正データ（離散値）へと展開してもよい。つまり、補正部１３Ｂは、第２補正データを、上記閾値データおよび上記離散値の少なくとも一方を用いて、第２補正データよりも高ビットのデータへと展開し、第１補正データに対してビット圧縮された補正データを用いて輝度信号を補正する。なお、本実施の形態に係る制御部１０Ｂでは、データ展開部１１３２は、必須の構成要素ではない。
【０１２０】
ただし、ビット削減部１１２２における第１補正データのビット削減率が高いほど、第２補正データの補正精度は低下するため、当該ビット削減率が高い場合には、データ展開部１１３２が設けられることが好ましい。
【０１２１】
ここで、変換部１２の具体的処理について、図１４を用いて詳細に説明する。
【０１２２】
図１４は、実施の形態４に係る表示装置５と従来の表示装置（実施の形態１の図４等参照）との補正処理およびその結果を比較する図である。同図の左側に示された表示画像は、表示部全体を同一輝度で発光させようとした場合であって補正無しの輝度信号で表示部を表示した場合の画像の一例である。これに対して、図１４の右上部に示された表示画像は、本実施の形態に係る表示装置５の制御部１０Ｂにより処理された補正後の輝度信号で表示部を表示した場合の画像である。また、図１４の右下部に示された表示画像は、従来の表示装置の制御部５００により処理された補正後の輝度信号で表示部を表示した場合の画像である。
【０１２３】
また、図１４における、本実施の形態に係る表示装置５による表示画像は、変換部１２Ｂが誤差拡散処理およびビット削減処理により生成した第２補正データを用いて補正されたものである。図１４に記載された第１補正データは、例えば、画素ごとのゲイン補正値（補正データ成分）がマトリクス状に表されている。本実施の形態に係る表示装置５では、この第１補正データを誤差拡散させる。以下、図１４に示された誤差拡散中の補正データを用いて説明する。なお、説明の便宜上、図１４には、誤差拡散中の補正データは、４×４の補正データ成分で構成されたものとして表されており、補正データ成分を（行、列）で表している。例えば、左上の補正データ成分を（１、１）と表し、右下の補正データ成分を（４、４）と表す。
【０１２４】
また、図１４における、第１補正データと誤差拡散中の補正データと第２補正データと第２補正データ（展開後）とについての具体例を、図１５に示す。
【０１２５】
変換部１２Ｂは、第１補正データについて、第１サブ画素（緑色サブ画素）の輝度を補正するための第１色補正データ（緑色補正データ）と、第２サブ画素（赤色サブ画素）の輝度を補正するための第２色補正データ（赤色補正データ）と、第３サブ画素（青色サブ画素）の輝度を補正するための第３色補正データ（青色補正データ）とのそれぞれに対して、閾値を利用する誤差拡散法を適用して、第１〜第３色補正データのそれぞれのビット数を削減する。
【０１２６】
ここでは、図１４に示されるように、誤差拡散中の補正データにおいて、青色補正データの各補正データ成分が４値（２ビットで区別可能）となり、赤色補正データの各補正データ成分が８値（３ビットで区別可能）となり、緑色補正データの各補正データ成分が１６値（４ビットで区分可能）となるように、誤差拡散を行う。
【０１２７】
すなわち、閾値決定部１１２１は、青色補正データの各補正データ成分が２ビットで区別され得る４値となり、赤色補正データの各補正データ成分が３ビットで区別され得る８値となり、緑色補正データの各補正データ成分が４ビットで区別され得る１６値となるように、第１補正データの各色補正データに対して、閾値、切下値、および切上値を決定する。ここで、切下値および切上値のそれぞれは、第１補正データ（の補正データ成分）が量子化された離散値である。そして、ビット削減部１１２２は、第１補正データの各色補正データに対して、閾値決定部１１２１によって決定された、閾値、切下値、および切上値を利用して誤差拡散を行い、誤差拡散中の補正データおよび第２補正データを生成する。ここで、ビット削減部１１２２の生成する第２補正データは、青色補正データについては２ビット、赤色補正データについては３ビット、緑色補正データについては４ビットからなる。そして、ビット削減部１１２２は、生成した第２補正データを、メモリ１１に記憶させる。
【０１２８】
以上のように、ビット削減部１１２２は、誤差拡散処理を適用することにより、閾値決定部１１２１で決定された閾値に基づいて、第１補正データを構成する各サブ画素の補正データ成分（１、１）〜（４、４）を量子化し、その際の誤差成分を当該各サブ画素の周辺サブ画素へ伝搬させて第１補正データを構成する各サブ画素の補正データ成分を再構成し、当該再構成された第１補正データの補正データ成分をビット削減して第２補正データを生成する。
【０１２９】
上記例では、ビット削減部１１２２は、第１補正データに対して、青色補正データに対して２ビットとなるようにビット削減し、赤色補正データに対して３ビットとなるようにビット削減し、緑色補正データに対して４ビットとなるようにビット削減することで第２補正データを生成している。
【０１３０】
次に、データ展開部１１３２は、第２補正データを読み出して第１メモリに一時保存し、当該第２補正データを、閾値を用いて、第２補正データのビット数よりも大きいビット数を有する補正データ（離散値）へと展開する。すなわち、データ展開部１１３２は、第２補正データに対して、閾値決定部１１２１によって決定された閾値、切下値、および切上値を適用して展開し、第２補正データ（展開後）すなわち、誤差拡散中の補正データを生成（再現）する。
【０１３１】
一例として、第２補正データが３ビットであって、閾値が０．９１０、０．９４４、０．９７８、１．０１２、１．０４５、１．０７９、および１．１１３であり、第１補正データが量子化された離散値が、０．８９３（“０”）、０．９２７（“１”）、０．９６１（“２”）、０．９９５（“３”）、１．０２８（“４”）、１．０６２（“５”）、１．０９６（“６”）、１．１３０（“７”）である場合を例として、具体的に説明する。この場合、データ展開部１１３２は、“０”〜“７”へ量子化された第２補正データの各補正データ成分を読み出して第１メモリに一時保存し、当該第２補正データの各補正データ成分を、上記７つの閾値のみを用いて、第２補正データのビット数よりも大きいビット数（４ビット以上）を有する補正データ成分（離散値）へと展開することが可能である。例えば、第２補正データの補正データ成分（１、１）が“２”の場合、展開された補正データ成分（１、１）は、閾値０．９４４と閾値０．９７８との間の離散値と判断され、０．９６１（“２”）が算出される。また、第２補正データの補正データ成分（１、２）が“０”の場合、展開された補正データ成分（１、２）は、閾値０．９１０よりも小さい離散値をとり、０．９１０−（０．９４４−０．９１０）／２（０．９１０から閾値間隔の半分を減算する）により、０．８９３（“０”）が算出される。
【０１３２】
また、データ展開部１１３２は、“０”〜“７”へ量子化された第２補正データの各補正データ成分を読み出して第１メモリに一時保存し、当該第２補正データの各補正データ成分を、上記７つの離散値のみを用いて、第２補正データのビット数よりも大きいビット数（４ビット以上）を有する補正データ成分（離散値）へと展開することが可能である。例えば、第２補正データの補正データ成分（１、１）が“１”の場合、展開された補正データ成分（１、１）は、２番目に大きい０．９２７（“１”）と算出される。また、第２補正データの補正データ成分（１、２）が“５”の場合、展開された補正データ成分（１、２）は、６番目に大きい１．０６２（“５”）と算出される。
【０１３３】
また、データ展開部１１３２は、“０”〜“７”へ量子化された第２補正データの各補正データ成分を読み出して第１メモリに一時保存し、当該第２補正データの各補正データ成分を、上記７つの離散値のうちの最大値および最小値のみを用いて、第２補正データのビット数よりも大きいビット数（４ビット以上）を有する補正データ（離散値）へと展開することが可能である。例えば、上記最大値および上記最小値と第２補正データのビット数（３ビット）とを用いて、上記７つの離散値を算出することが可能である。これにより、例えば、第２補正データの補正データ成分（１、１）が“１”の場合、展開された補正データ成分（１、１）は、２番目に大きい０．９２７（“１”）と算出される。また、第２補正データの補正データ成分（１、２）が“５”の場合、展開された補正データ成分（１、２）は、６番目に大きい１．０６２（“５”）と算出される。なお、上記最大値および上記最小値と第２補正データのビット数（３ビット）とを用いて、上記７つの離散値を算出する場合、７つの離散値を均等割で算出するほか、重み付けを施した配列やランダム配列などとすることも可能となる。
【０１３４】
図１４より、本実施の形態の制御部１０Ｂおよび従来の制御部５００により補正された輝度信号により表示された表示画像は、いずれも、補正無しの輝度信号による表示画像と比較して、輝度ムラが大幅に低減されていることが判る。ただし、本実施の形態の制御部１０による表示画像と従来の制御部５００による表示画像とは、補正データのビット数が異なっている。つまり、本実施の形態の制御部１０Ｂによりビット削減された第２補正データの方が、従来の制御部５００で用いられる第１補正データよりもデータ容量が小さい。よって、本実施の形態に係る表示装置５によれば、表示部の画素数が増加しても、輝度補正の精度を確保しつつ補正データ容量および転送レートを低減することが可能となる。
【０１３５】
なお、本実施の形態に係る表示装置５において、変換部１２Ｂおよび補正部１３Ｂは、集積回路であるＩＣ、ＬＳＩ（Ｌａｒｇｅ  Ｓｃａｌｅ  Ｉｎｔｅｇｒａｔｉｏｎ）として実現されてもよい。また、集積回路化の手法は、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。さらには、半導体技術の進歩または派生する別技術によりＬＳＩに置き換わる集積回路化の技術が登場すれば、当然、その技術を用いて機能ブロックの集積化を行ってもよい。また、変換部１２Ｂおよび補正部１３Ｂは、上記エンコード処理およびデコード処理を実行させるプログラムとして実現したり、当該プログラムが記録されたコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリとして実現したりすることもできる。そして、そのようなプログラムは、ＣＤ−ＲＯＭ等の記録媒体およびインターネット等の伝送媒体を介して流通させることができるのは言うまでもない。
【０１３６】
［４．３  表示装置の補正方法］
次に、本実施の形態に係る表示装置５の補正方法について説明する。
【０１３７】
図１６は、実施の形態４に係る表示装置５の補正方法を説明する動作フローチャートである。
【０１３８】
以下、図１６に従って、補正工程を説明していく。
【０１３９】
同図に示されるように、表示装置５の補正方法は、実施の形態１における表示装置１の補正方法（図６参照）から、ステップＳ１０の処理がステップＳ１０Ｂの処理となり、ステップＳ２０の処理がステップＳ２０Ｂの処理となり、ステップＳ３０の処理がステップＳ３０Ｂの処理となり、ステップＳ４０の処理がステップＳ４０Ｂの処理となり、ステップＳ５０の処理がステップＳ５０Ｂの処理となり、ステップＳ６０の処理がステップＳ６０Ｂの処理となるように変更されている。
【０１４０】
ここで、ステップＳ１０Ｂの処理とステップＳ４０Ｂの処理とステップＳ６０Ｂの処理とは、それぞれ、実施の形態１におけるステップＳ１０の処理とステップＳ４０の処理とステップＳ６０の処理とから、表示装置１を表示装置５に読み替え、制御部１０を制御部１０Ｂと読み替えた場合の処理と同様の処理となっている。従って、ここでは、ステップＳ２０Ｂの処理とステップＳ３０Ｂの処理とステップＳ５０Ｂの処理とを中心に説明する。
【０１４１】
ステップＳ１０の処理が終了すると、制御部１０Ｂは、第１補正データについて各画素に対応した補正データ成分を量子化し、その際の誤差成分を当該各画素の周辺画素へ伝搬させて再構成する（Ｓ２０Ｂ）。
【０１４２】
次に、制御部１０Ｂは、再構成された各画素の補正データ成分をビット削減することにより第２補正データへと変換する（Ｓ３０Ｂ）。ステップＳ２０ＢおよびＳ３０Ｂは、制御部１０Ｂの変換部１２Ｂが行う変換ステップである。
【０１４３】
次に、制御部１０Ｂは、第２補正データを、表示装置５が有するメモリ１１に予め保存する（Ｓ４０Ｂ：保存ステップ）。
【０１４４】
次に、制御部１０Ｂは、メモリ１１から第２補正データを読み出し、ステップＳ３０Ｂでビット削減の基準値とした閾値を用いて、第２補正データのビット数よりも大きいビット数を有する補正データへと展開する（Ｓ５０Ｂ）。
【０１４５】
なお、ステップＳ５０Ｂにおける上記展開処理は、必須の工程ではない。ただし、ステップＳ３０Ｂにおける第１補正データのビット削減率が高いほど、第２補正データの補正精度は低下するため、当該ビット削減率が高い場合には、上記展開処理を行うことが好ましい。
【０１４６】
次に、制御部１０Ｂは、上記第２補正データを用いて、輝度信号を補正する（Ｓ６０Ｂ：補正ステップ）。
【０１４７】
以上の本実施の形態に係る表示装置５の補正方法によれば、第１補正データ（処理前の補正データ）により輝度信号が補正されるのではなく、上記ステップＳ２０ＢおよびＳ３０Ｂでの処理がなされた第２補正データにより輝度信号が補正される。また、メモリ１１には、第１補正データが変換されて生成された第２補正データが保存される。第２補正データは、第１補正データがビット削減されたものであるため、第１補正データに比べて容量が小さい。これにより、表示部４０の解像度が上がるにつれ、軽量化された第２補正データを格納するメモリ１１の容量低減化の効果が顕著となる。よって、輝度補正の精度を確保しつつ補正データ容量および転送レートを低減することが可能となる。
【０１４８】
なお、ステップＳ２０Ｂにおいて、第１補正データについて各画素に対応した補正データ成分を当該各画素の周辺画素へ伝搬させて再構成する手法として、誤差拡散法を用いてもよい。誤差拡散法を用いることにより、輝度信号の補正精度を確保することが可能となる。なお、誤差拡散法のほか、例えば、ランダムディザ法およびパタンディザ法などに代表されるディザ法などを適用してもよい。
【０１４９】
また、第１補正データについて各画素に対応した補正データ成分の誤差成分を当該各画素の周辺画素へ伝搬させて再構成する際に、第１補正データを構成する補正データ成分の分布状態により決定された閾値に基づいて、補正データ成分を量子化し、その際の誤差成分により補正データ成分を再構成してもよい。
【０１５０】
また、ステップＳ３０Ｂにおいて、第１補正データについて各画素に対応した補正データ成分の誤差成分を当該各画素の周辺画素へ伝搬させて再構成された各画素の補正データ成分を、２値化処理によりビット削減してもよい。この場合には、第２補正データを最軽量化することが可能となる。
【０１５１】
（実施の形態５）
実施の形態４では、第１補正データを取得し、当該第１補正データから第２補正データを生成し、当該第２補正データで輝度信号を補正するまでの表示装置５の補正方法について説明した。これに対して、本実施の形態では、上記第１補正データから第２補正データを生成し、当該第２補正データを表示装置５のメモリ１１に格納するまでの表示装置５の製造方法について説明する。つまり、本実施の形態に係る表示装置５の製造方法は、実施の形態４に係る表示装置５の補正方法が、輝度信号を第２補正データで補正するまでの工程を含むのに対して、第２補正データをメモリ１１に格納するまでの工程を含む点が異なる。以下、実施の形態４に係る表示装置５およびその補正方法と同じ構成については説明を省略し、異なる点を中心に説明をする。
【０１５２】
［５．１  製造工程における情報処理装置の構成］
図１７は、製造工程において第２補正データを取得する情報処理装置２Ｃの構成を示すブロック図である。同図に示された情報処理装置２Ｃは、表示装置５の製造工程において使用されるものであり、変換部１２Ｃを備える。
【０１５３】
変換部１２Ｃは、閾値決定部１１２１Ｃと、ビット削減部１１２２Ｃとを備え、処理前の補正データ（第１補正データ）を、その第１補正データよりもデータ量が削除された第２補正データへと変換する。
【０１５４】
閾値決定部１１２１Ｃは、第１補正データを構成する複数の補正データ成分の分布に基づいて、後続するビット削減部１１２２Ｃでビット削減する際に使用される閾値を決定する。ここでは、第１補正データは、赤色サブ画素の輝度を補正するための赤色補正データと、緑色サブ画素の輝度を補正するための緑色補正データと、青色サブ画素の輝度を補正するための青色補正データとから構成される。このため、閾値決定部１１２１Ｃは、第１補正データの赤色補正データと緑色補正データと青色補正データとのそれぞれについて閾値を決定する。
【０１５５】
ビット削減部１１２２Ｃは、閾値決定部１１２１Ｃで決定された閾値に基づいて、第１補正データを構成する各サブ画素の補正データ成分を量子化し、その際の誤差成分を、当該各サブ画素の周辺サブ画素へ伝搬させて第１補正データを構成する各サブ画素の補正データ成分を再構成し、当該再構成された第１補正データの補正データ成分をビット削減して第２補正データを生成する。より具体的には、ビット削減部１１２２Ｃは、上記閾値に基づいて、第１補正データについて、（１）各第１サブ画素（赤色サブ画素と緑色サブ画素と青色サブ画素とうちのいずれか１つ）に対応した補正データ成分の誤差成分を、その第１サブ画素の周辺第１サブ画素へ伝搬させて再構築し、当該再構築された各第１サブ画素の補正データ成分を第１ビット数削減し、（２）各第２サブ画素（赤色サブ画素と緑色サブ画素と青色サブ画素とから第１サブ画素を除いたもののうちのいずれか１つ）に対応した補正データ成分の誤差成分を、その第２サブ画素の周辺第２サブ画素へ伝搬させて再構築し、当該再構築された各第２サブ画素の補正データ成分を、第１ビット数より多い第２ビット数削減する。また、ビット削減部１１２２Ｃは、上記閾値に基づいて、さらに、第１補正データについて、各第３サブ画素（赤色サブ画素と緑色サブ画素と青色サブ画素とのうち、第１サブ画素と第２サブ画素とのいずれでもないもの）に対応した補正データ成分の誤差成分を、その第３サブ画素の周辺第３サブ画素へ伝搬させて再構築し、当該再構築された各第３サブ画素の補正データ成分を第２ビット数より多い第３ビット数削減するとしてもよい。
【０１５６】
ここで、ビット削減部１１２２Ｃは、赤色補正データと緑色補正データと青色補正データとのそれぞれについて、視感度のより低い色の方が、ビット削減量が多くなるように、ビット削減を行う。このようなビット削減法は、人間にとって、視感度が比較的低い色の輝度変化は比較的認知されにくく、視感度が比較的高い色の輝度変化は比較的認識されやすいという特質に基づいて行われている。一般に、青色の方が赤色よりも視感度が低く、赤色の方が緑色よりも視感度が低い。このため、ビット削減部１１２２Ｃは、青色補正データの削減ビット数の方が、赤色補正データの削減ビット数よりも多くなり、赤色補正データの削減ビット数の方が、緑色補正データの削減ビット数よりも多くなるように、ビット数の削減を行う。すなわち、ビット削減部１１２２Ｃは、第１サブ画素を緑色サブ画素とし、第２サブ画素を赤色サブ画素とし、第３サブ画素を緑色サブ画素として、ビット数の削減を行う。
【０１５７】
第１補正データを構成する各サブ画素の補正データ成分の誤差成分を、当該各サブ画素の周辺サブ画素へ伝搬させて第１補正データを構成する各サブ画素の補正データ成分を再構成する量子化手法としては、例えば、誤差拡散法が用いられる。その他、上記手法として、ランダムディザ法およびパタンディザ法などに代表されるディザ法などが適用される。ビット削減部１１２２Ｃにおける処理として誤差拡散法を用いることにより、輝度信号の補正精度を確保することが可能となる。
【０１５８】
なお、第１補正データは、実施の形態１の図７に示された情報処理装置２により取得されてもよい。このとき、実施の形態１に係る情報処理装置２と、本実施の形態に係る情報処理装置２Ａとが、同じ装置であって双方の機能を兼ね備えていてもよい。つまり、本実施の形態に係る情報処理装置２Ｃは、変換部１２Ｃのほか、演算部２０１と、記憶部２０２と、通信部２０３とを備えていてもよい。また、第１補正データは、予め情報処理装置２Ｃに与えられていてもよい。
【０１５９】
［５．２  表示装置の製造方法］
図１８は、実施の形態４に係る表示装置５の製造方法を説明する動作フローチャートである。図１８には、表示装置１の有する表示パネルを形成する工程から、第２補正データをメモリに格納する工程までが示されている。以下、図１８に従って、製造工程を説明していく。
【０１６０】
同図に示されるように、表示装置５の製造方法は、実施の形態１における表示装置１の製造方法（図９参照）から、ステップＳ１００の処理がステップＳ１００Ｂの処理となり、ステップＳ１１０の処理がステップＳ１１０Ｂの処理となり、ステップＳ１２０の処理がステップＳ１２０Ｂの処理となり、ステップＳ１３０の処理がステップＳ１３０Ｂの処理となり、ステップＳ１４０の処理がステップＳ１４０Ｂの処理となるように変更されている。
【０１６１】
ここで、ステップＳ１００Ｂの処理とステップＳ１１０Ｂの処理とステップＳ１４０Ｂの処理とは、それぞれ、実施の形態１におけるステップＳ１００の処理とステップＳ１１０の処理とステップＳ１４０の処理とから、表示装置１を表示装置５に読み替え、情報処理装置２Ａを情報処理装置２Ｃに読み替えた場合と同様の処理となっている。従って、ここでは、ステップＳ１２０Ｂの処理とステップＳ１３０Ｂの処理とを中心に説明する。
【０１６２】
ステップＳ１１０Ｂの処理が終了すると、情報処理装置２Ｃは、第１補正データについて各画素に対応した補正データ成分を量子化し、その際の誤差成分を当該各画素の周辺画素へ伝搬させて再構成する（Ｓ１２０Ｂ）。
【０１６３】
次に、情報処理装置２Ｃは、再構成された各画素の補正データ成分をビット削減することにより第２補正データへと変換する（Ｓ１３０Ｂ）。ステップＳ１２０ＢおよびＳ１３０Ｂは、情報処理装置２Ｃの変換部１２Ｃが行う変換ステップである。
【０１６４】
次に、情報処理装置２Ｃは、第２補正データを、表示装置５が有するメモリ１１に予め保存する（Ｓ１４０Ｂ：保存ステップ）。
【０１６５】
以上の本実施の形態に係る表示装置５の補正方法によれば、第１補正データ（処理前の補正データ）がメモリ１１に保存されるのではなく、上記ステップＳ１２０ＢおよびＳ１３０Ｂでの処理がなされた第２補正データがメモリ１１に保存される。第２補正データは、第１補正データがビット削減されたものであるため、第１補正データに比べて容量が小さい。これにより、表示部４０の解像度が上がるにつれ、軽量化された第２補正データを格納するメモリ１１の容量低減化の効果が顕著となる。よって、輝度補正の精度を確保しつつ補正データ容量および転送レートを低減することが可能となる。
【０１６６】
なお、ステップＳ１２０Ｂにおいて、第１補正データについて各画素に対応した補正データ成分を当該各画素の周辺画素へ伝搬させて再構成する手法として、誤差拡散法を用いてもよい。誤差拡散法を用いることにより、輝度信号の補正精度を確保することが可能となる。なお、誤差拡散法のほか、例えば、ランダムディザ法およびパタンディザ法などに代表されるディザ法などを適用してもよい。
【０１６７】
また、第１補正データについて各画素に対応した補正データ成分の誤差成分を当該各画素の周辺画素へ伝搬させて再構成する際に、第１補正データを構成する補正データ成分の分布状態により決定された閾値に基づいて、補正データ成分を量子化し、その際の誤差成分により補正データ成分を再構成してもよい。
【０１６８】
また、情報処理装置２Ｃは、表示装置５を構成する制御部１０Ｂが内蔵していてもよく、製造工程において、制御部１０Ｂが第２補正データを取得しメモリ１１に格納してもよい。
【０１６９】
（実施の形態６）
実施の形態４では、第１補正データを取得し、当該第１補正データから第２補正データを生成し、当該第２補正データで輝度信号を補正するまでの表示装置５の補正方法について説明した。これに対して、本実施の形態では、上記第２補正データを読み出し、当該第２補正データにより輝度信号を補正し、当該補正された輝度信号により画素表示させるまでの表示装置５の表示方法について説明する。つまり、本実施の形態に係る表示装置５の補正方法は、実施の形態５に係る表示装置５の製造方法が、第２補正データをメモリ１１に格納するまでの工程を含むのに対して、格納された第２補正データを読み出す工程から画素表示する工程までを含む点が異なる。以下、実施の形態４に係る表示装置５およびその補正方法と同じ構成については説明を省略し、異なる点を中心に説明をする。
【０１７０】
［６．１  制御部の構成］
図１９は、第２補正データを用いて表示装置５を表示する制御部１０Ｂの構成を示すブロック図である。同図に示された制御部１０Ｂは、メモリ１１と、補正部１３Ｂとを備える。
【０１７１】
補正部１３Ｂは、上記第２補正データを用いて、輝度信号を補正する。輝度信号とは、画素の有する発光素子を発光させるために、当該画素に印加される電気信号である。より具体的には、本実施の形態では、輝度信号とは、サブ画素４００が有する有機ＥＬ素子４０１を発光させるために、データ線駆動回路２０から駆動トランジスタ４０２のゲートに印加されるデータ電圧のことである。
【０１７２】
ここで、本実施の形態に係る表示方法では、上述した第１補正データ（処理前の補正データ）により輝度信号が補正されるのではなく、処理前の補正データ（第１補正データ）を軽量処理することで取得された処理後の補正データ（第２補正データ）により輝度信号が補正される。第２補正データは、第１補正データがビット削減されたものであるため、第１補正データに比べて容量が小さい。
【０１７３】
これにより、表示部４０の解像度が上がるにつれ、第１補正データよりも軽量化された第２補正データを格納するメモリ１１の容量低減化の効果が顕著となる。記録媒体として過度な大容量および長寿命を必要としないという観点から、メモリ１１としては、例えば、フラッシュメモリなどの不揮発性メモリを適用することが可能である。
【０１７４】
補正部１３Ｂは、データ展開部１１３２と、輝度信号補正部１３１とを備える。
【０１７５】
データ展開部１１３２は、例えば、ＤＲＡＭなどの揮発性の第１メモリと演算回路とで構成される。データ展開部１１３２は、メモリ１１から第２補正データを読み出して第１メモリに一時保存する。ここで、第１メモリ内（または外部）に設けられた、ＳＲＡＭに例示される第２メモリには、閾値決定部１１２１で決定された閾値データおよび第１補正データが量子化された離散値の少なくとも一方が保存されている。演算回路は、第１メモリに確保された第２補正データを、第２メモリに保存された閾値データおよび上記離散値の少なくとも一方を用いて、メモリ１１に保存された第２補正データのビット数よりも大きいビット数を有する補正データ（離散値）へと展開してもよい。つまり、補正部１３Ｂは、第２補正データを、上記閾値データおよび上記離散値の少なくとも一方を用いて、第２補正データよりも高ビットのデータへと展開し、第１補正データに対してビット圧縮された補正データを用いて輝度信号を補正する。なお、本実施の形態に係る制御部１０Ｂでは、データ展開部１１３２は、必須の構成要素ではない。
【０１７６】
ただし、第１補正データのビット削減率が高いほど、第２補正データの補正精度は低下するため、当該ビット削減率が高い場合には、データ展開部１１３２が設けられることが好ましい。
【０１７７】
輝度信号補正部１３１は、データ展開部１１３２で展開された第２補正データを用いて、サブ画素４００に対応した輝度信号を補正する。以下、輝度信号補正部１３１における輝度信号の補正処理の一例を示す。
【０１７８】
輝度信号補正部１３１は、第２補正データ（ゲイン補正値、オフセット補正値）のうち、補正前輝度信号に対応するデータ電圧にゲイン補正値を乗算（または除算）し、当該乗算値にオフセット補正値を加算（または減算）して、データ線駆動回路２０に出力する。これにより、輝度補正の精度を確保しつつ補正データ容量および転送レートを低減することが可能となる。
【０１７９】
［６．２  表示装置の表示方法］
図２０は、実施の形態６に係る表示装置５の表示方法を説明する動作フローチャートである。図２０には、表示装置５の有する制御部１０Ｂが、第２補正データを読み出す工程から輝度信号を補正して画素表示する工程までが示されている。以下、図２０に従って、補正工程を説明していく。
【０１８０】
まず、制御部１０Ｂは、メモリ１１から第２補正データを読み出し、ビット削減の基準値とした閾値および第１補正データが量子化された離散値の少なくとも一方を用いて、第２補正データのビット数よりも大きいビット数を有する補正データへと展開する（Ｓ２５０Ｂ）。
【０１８１】
なお、ステップＳ２５０Ｂにおける上記展開処理は、必須の工程ではない。ただし、第１補正データのビット削減率が高いほど、第２補正データの補正精度は低下するため、当該ビット削減率が高い場合には、上記展開処理を行うことが好ましい。
【０１８２】
次に、制御部１０Ｂは、上記第２補正データを用いて、輝度信号を補正する（Ｓ２６０Ｂ：補正ステップ）。
【０１８３】
最後に、制御部１０Ｂは、上記補正ステップで補正された輝度信号を各サブ画素４００に供給し、当該輝度信号に応じて有機ＥＬ素子４０１を発光させることにより表示装置５を表示する（Ｓ２７０Ｂ：表示ステップ）。
【０１８４】
以上の本実施の形態に係る表示装置５の表示方法によれば、第１補正データ（処理前の補正データ）により輝度信号が補正されるのではなく、ビット削減された第２補正データにより輝度信号が補正される。また、メモリ１１には、第１補正データが変換されて生成された第２補正データが保存されている。第２補正データは、第１補正データがビット削減されたものであるため、第１補正データに比べて容量が小さい。これにより、表示部４０の解像度が上がるにつれ、軽量化された第２補正データを格納するメモリ１１の容量低減化の効果が顕著となる。よって、輝度補正の精度を確保しつつ補正データ容量および転送レートを低減することが可能となる。
【０１８５】
（その他の実施の形態）
以上、実施の形態１〜６について述べてきたが、上記実施の形態に係る表示装置、表示装置の補正方法、表示装置の製造方法、および表示装置の表示方法は、上記実施の形態に限定されるものではない。上述した実施の形態に対して本発明の主旨を逸脱しない範囲で当業者が思いつく各種変形を施して得られる変形例や、本発明に係る表示装置を内蔵した各種機器も本発明に含まれる。
【０１８６】
例えば、実施の形態１〜６に係る表示装置、表示装置の補正方法、表示装置の製造方法、および表示装置の表示方法は、図２１に示されたようなタブレット端末に適用される。本発明に係る表示装置、表示装置の補正方法、表示装置の製造方法、および表示装置の表示方法により、輝度ムラが抑制されたディスプレイを備えた低コストの小型高精細なタブレット端末が実現される。
【０１８７】
なお、上記実施の形態では、外部映像信号に基づいて生成された輝度信号により、表示部４０に画像が表示される場合を例示したが、これに限られない。画素を発光させるための輝度信号は、外部映像信号により生成されるだけでなく、静止画または動画を表示するための各種信号により生成される。
【０１８８】
また、第１補正データは、表示装置の製造時に生成されることに限定されない。また、第２補正データは、表示装置の製造時にメモリ１１に保存されることに限定されない。表示装置の製造後であって、表示動作中または非表示動作中であっても、第１補正データを更新し、当該更新された第１補正データに基づいて第２補正データが更新保存されてもよい。
【０１８９】
また、各画素が有する発光素子は、有機ＥＬ素子に限られず、電流駆動型または電圧駆動型の無機材料からなる発光素子であってもよい。
【０１９０】
また、各画素は、光の３原色に対応する赤色と緑色と青色とのそれぞれを発色する赤色サブ画素と緑色サブ画素と青色サブ画素とから構成される場合を例示したが、各サブ画素の発色の組み合わせは、多様な色を生成し得る色の組み合わせであれば、赤色と緑色と青色との組み合わせである場合に限られない。例えば、各画素が、イエローとマゼンダとシアンとの色の組み合わせにおけるそれぞれの色を発色するイエローサブ画素とマゼンダサブ画素とシアンサブ画素とから構成されていてもよい。
【０１９１】
さらには、各画素は、多様な色を生成し得る４色の以上の色の組み合わせにおけるそれぞれの色を発色する４種以上のサブ画素から構成されていてもよい。例えば、各画素が、赤色と緑色と青色と黄色とのそれぞれを発色する赤色サブ画素と緑色サブ画素と青色サブ画素と黄色サブ画素とから構成されていてもよい。
【産業上の利用可能性】
【０１９２】
本発明は、特に有機ＥＬ素子を用いた表示装置を内蔵する有機ＥＬフラットパネルディスプレイに有用であり、画質の均一性が要求される小型高精細なディスプレイの表示装置およびその補正方法として用いるのに最適である。
【符号の説明】
【０１９３】
１、５    表示装置
２、２Ａ、２Ｃ    情報処理装置
３    撮像装置
１０、１０Ｂ、５００    制御部
１１、５１２    メモリ
１２、１２Ａ、１２Ｂ、１２Ｃ    変換部
１３、１３Ｂ    補正部
２０    データ線駆動回路
３０    走査線駆動回路
４０    表示部
１２１、１２１Ａ    周波数変換部
１２２、１２２Ａ    周波数成分抽出部
１３１、５３１    輝度信号補正部
１３２    空間成分逆変換部
２０１    演算部
２０２    記憶部
２０３    通信部
４００    サブ画素
４０１    有機ＥＬ素子
４０２    駆動トランジスタ
４０３    選択トランジスタ
４０４    保持容量素子
４１１    データ線
４１２    走査線
４２１    電源線
４２２    共通電極
１１２１、１１２１Ｃ    閾値決定部
１１２２、１１２２Ｃ    ビット削減部
１１３２    データ展開部
【図１】
2018025639.tif 000003
【図２】
2018025639.tif 000004
【図３】
2018025639.tif 000005
【図４】
2018025639.tif 000006
【図５】
2018025639.tif 000007
【図６】
2018025639.tif 000008
【図７】
2018025639.tif 000009
【図８】
2018025639.tif 000010
【図９】
2018025639.tif 000011
【図１０】
2018025639.tif 000012
【図１１】
2018025639.tif 000013
【図１２】
2018025639.tif 000014
【図１３】
2018025639.tif 000015
【図１４】
2018025639.tif 000016
【図１５】
2018025639.tif 000017
【図１６】
2018025639.tif 000018
【図１７】
2018025639.tif 000019
【図１８】
2018025639.tif 000020
【図１９】
2018025639.tif 000021
【図２０】
2018025639.tif 000022
【図２１】
2018025639.tif 000023